(57)【要約】  ディスクが収納され、一面には記録及び再生装置がディスクの記録面にアクセスするための開口ホールが形成され、他面には外部に開放された開放ホールが形成されたケースと、開口ホールを開閉するようにケース内に移動可能に設置され、その上にディスクが支持されるシャッタと、ケースの開放ホール側に昇降可能に設置されたものであって、降下時にディスクの外周部とシャッタ間の隙間を覆うディスクホルダーと、開口ホールが開閉されるように前記シャッタを移動させるシャッタ駆動機構と、ディスクホルダーを昇降させる昇降機構と、を含んで構成される。このような構成のディスクカートリッジは、ディスクの外周部側の隙間を通じて情報領域にホコリが流入されうる通路をディスクホルダーを利用して塞ぐことによって汚染可能性をさらに減らせる。
2005521187.tif 000002
【特許請求の範囲】
【請求項１】
ディスクが収納され、一面には記録及び再生装置が前記ディスクの記録面にアクセスするための開口ホールが形成され、他面には外部に開放された開放ホールが形成されたケースと、
前記ケース内に設置されて前記開口ホールを開閉するシャッタと、
前記ケースの開放ホール側に昇降可能に設置されたものであって、降下時に前記ディスクの外周部と前記開放ホールの内側面間の間隔を覆うディスクホルダーと、
前記ディスクホルダーの降下時に前記開口ホールが密閉されるように前記シャッタを移動させるシャッタ駆動機構とを含むことを特徴とするディスクカートリッジ。
【請求項２】
前記シャッタは、
前記ケースに回転自在に設置されて前記ディスクの外周部が載置される載置面が備わった円形シャッタ部材と、前記円形シャッタ部材の内部に形成された切除部内に回動可能に設置された回動シャッタ部材とを含み、
前記円形シャッタ部材と回動シャッタ部材の動きによって前記切除部を通じて前記開口ホールが選択的に開閉されたことを特徴とする請求項１に記載のディスクカートリッジ。
【請求項３】
前記シャッタ駆動機構は、
前記円形シャッタ部材に設けられたものであって、ディスクドライブに進入する時にそのディスクドライブ内に設置されたオープニングギアと噛み合うことによって進入動作によって前記円形シャッタ部材を回転させるギア部と、
前記円形シャッタ部材の回転に連動して前記回動シャッタ部材を回動させる連動手段と、
前記円形シャッタ部材を選択的にロッキングさせるロッキング手段とを含むことを特徴とする請求項２に記載のディスクカートリッジ。
【請求項４】
前記連動手段は、
前記回動シャッタ部材を押せるように前記円形シャッタ部材に設けられた第１及び第２プッシュ部を備え、
前記円形シャッタ部材が時計回り方向に回転すれば、前記第１プッシュ部が前記回動シャッタ部材を押して回動させ、前記円形シャッタ部材が反時計回り方向に回転すれば、前記第２プッシュ部が前記回動シャッタ部材を押して回動させたことを特徴とする請求項３に記載のディスクカートリッジ。
【請求項５】
前記ロッキング手段は、
前記ケースに回転自在に設置されたものであって、前記ギア部に結合されるロッキング突起と、前記ロッキング突起が前記ギア部に結合される方向に回転されるように弾性力を提供する弾性片と、ディスクドライブへの進入時に前記オープニングギアに干渉されて進入動作によって前記ロッキング突起を前記ギア部から抜け出す干渉突起と、を一体に備えたロッキングレバーを含むことを特徴とする請求項３に記載のディスクカートリッジ。
【請求項６】
前記ディスクホルダーを昇降させる昇降機構が備わることを特徴とする請求項２に記載のディスクカートリッジ。
【請求項７】
前記昇降機構は、
前記ディスクホルダーから突出したリブと、
前記円形シャッタ部材に設けられて回転時に前記リブを押して前記ディスクホルダーを共に回転させる第３及び第４プッシュ部と、
前記ディスクホルダーの回転時に前記リブがスライディングされかつ昇降されるように前記ケースに設けられて第１及び第２傾斜面と、を備え、
前記円形シャッタ部材が前記開口ホールを開ける方向に回転すれば、前記第３プッシュ部が前記リブを前記第１傾斜面に沿って上昇するように押し、前記円形シャッタ部材が前記開口ホールを閉じる方向に回転すれば、前記第４プッシュ部が前記リブを前記第２傾斜面に沿って降下するように押すことを特徴とする請求項６に記載のディスクカートリッジ。
【請求項８】
前記第３プッシュ部は、円形シャッタ部材が回転し始めつつ前記リブを前記第１傾斜面に沿って１次に押し上げる１次プッシュ面と、前記１次プッシュ面に相次いで前記リブを前記第１傾斜面の端部まで押し上げる２次プッシュ面とを含むことを特徴とする請求項７に記載のディスクカートリッジ。
【請求項９】
前記ケースには前記ディスクホルダーを前記開放ホールを通じて挿し込む時に前記リブが通過しうる切除溝が形成され、
前記ディスクホルダーには前記リブが前記切除溝を通過した後に回転して前記第２傾斜面に沿って降下すれば、前記切除溝を塞ぐように位置する補助リブがさらに備わったことを特徴とする請求項７に記載のディスクカートリッジ。
【請求項１０】
前記円形シャッタ部材と前記回動シャッタ部材のうち何れか一側には結合溝が形成され、他の一側にはその結合溝に結合される結合突起が形成されて、前記開口ホールが閉状態で前記結合突起が結合溝に挿し込まれたことを特徴とする請求項２に記載のディスクカートリッジ。
【請求項１１】
前記円形シャッタ部材と前記回動シャッタ部材とには相互上下に重畳される段差面が設けられたことを特徴とする請求項２に記載のディスクカートリッジ。
【請求項１２】
前記円形シャッタ部材の背面には前記開口ホール側に突出した突出片がさらに備わったことを特徴とする請求項２に記載のディスクカートリッジ。
【請求項１３】
前記ディスクホルダーにはディスクドライブのクランパーが進入しうるように前記開放ホールと連通された第１連通ホールが形成され、
前記シャッタには、閉状態で前記ディスクの中央ホールと前記開口ホールとを連通させる第２連通ホールと、前記第２連通ホールの周囲を取り囲むように設置されて前記ディスクの内周側の非情報領域と密着される不織布と、が設けられたことを特徴とする請求項１に記載のディスクカートリッジ。
【請求項１４】
前記シャッタには前記ディスクの内周側の非情報領域を支えるように突出した突起がさらに備わったことを特徴とする請求項１３に記載のディスクカートリッジ。
【請求項１５】
前記ディスクホルダーに前記ディスクをクランピングするクランピング部材が設置されたことを特徴とする請求項１に記載のディスクカートリッジ。
【請求項１６】
前記クランピング部材は、
前記ディスクホルダーの内側面に設置されるリング部材と、
前記リング部材のエッジ部にわたって支持されるクランピングホルダーと、
ディスクドライブ内で前記ディスクが載置されるターンテーブルとの磁気的な引力を作用させるために前記クランピングホルダーに設置された磁性体とを含むことを特徴とする請求項１５に記載のディスクカートリッジ。
【請求項１７】
前記シャッタは、閉状態で前記開口ホール全体を密閉させることを特徴とする請求項１５に記載のディスクカートリッジ。
【請求項１８】
前記ディスクホルダーの中央には、前記ディスクの内周側の非情報領域の直径よりは長くかつ最外郭の直径よりは短径の貫通ホールが形成され、降下時に前記ディスクの上面の円周に沿って密着される領域を有することを特徴とする請求項１に記載のディスクカートリッジ。
【請求項１９】
前記ディスクホルダーの中央には、前記ディスクの内周側の非情報領域の直径よりは長くかつ最外郭の直径よりは短径の貫通ホールが形成され、降下時に前記ディスクの一側面に沿って密着される領域を有することを特徴とする請求項１に記載のディスクカートリッジ。
【請求項２０】
ディスクが収納され、一面には記録及び再生装置が前記ディスクの記録面にアクセスするための開口ホールが形成され、他面には外部に開放された開放ホールが形成されたケースと、
前記ケースに回転自在に設置されてその上に前記ディスクの外周部が載置される回転リングと、
前記開口ホールを開閉するように前記ケース内に設置されたシャッタと、
前記ケースの開放ホール側に昇降可能に設置されたものであって、降下時に前記ディスクの外周部と前記開放ホールの内側面間の間隔を覆うディスクホルダーと、
前記回転リングを回転させる回転駆動機構とを含むことを特徴とするディスクカートリッジ。
【請求項２１】
前記回転駆動機構は、
前記回転リングに設けられたものであって、ディスクドライブに進入する時にそのディスクドライブ内に設置されたオープニングギアと噛み合うことによって進入動作によって前記回転リングを回転させるギア部と、
前記回転リングを選択的にロッキングさせるロッキング手段とを含むことを特徴とする請求項２０に記載のディスクカートリッジ。
【請求項２２】
前記ロッキング手段は、
前記ケースに回転自在に設置されたものであって、前記ギア部に結合されるロッキング突起と、前記ロッキング突起が前記ギア部に結合される方向に回転するように弾性力を提供する弾性片と、ディスクドライブへの進入時に前記オープニングギアに干渉されて進入動作によって前記ロッキング突起を前記ギア部から抜け出す干渉突起と、を一体に備えたロッキングレバーを含むことを特徴とする請求項２１に記載のディスクカートリッジ。
【請求項２３】
前記回転リングの回転によって前記開口ホールが開閉されるように前記シャッタを移動させる第１連動機構と、前記回転リングの回転によって前記ディスクホルダーを昇降させる第２連動機構とをさらに含むことを特徴とする請求項２０に記載のディスクカートリッジ。
【請求項２４】
前記第１連動機構は、
前記シャッタに形成された連動スロットと、前記連動スロットに挿し込まれるように前記回転リングに設けられた連動突起とを備え、
前記回転リングが回転すれば、前記連動突起が前記連動スロットの内側壁面を押しつつ前記シャッタを移動させることを特徴とする請求項２３に記載のディスクカートリッジ。
【請求項２５】
前記第２連動機構は、
前記ディスクホルダーの外周面に螺旋状に設けられた傾斜レールと、前記回転リングに設けられて前記傾斜レールに摺動可能に結合される支持部材とを含み、
前記回転リングが回転すれば、前記支持部材が前記螺旋状の傾斜レールに沿って摺動しつつ前記ディスクホルダーをその螺旋状の軌跡に沿って昇降させることを特徴とする請求項２３に記載のディスクカートリッジ。
【請求項２６】
前記ディスクホルダーにはディスクドライブのクランパーが進入しうるように前記開放ホールと連通された第１連通ホールが形成され、
前記シャッタには、閉状態で前記ディスクの中央ホールと前記開口ホールとを連通させる第２連通ホールと、前記ディスクの内周側の非情報領域と密着されるように前記第２連通ホールの周囲を取り囲む隆起面とが設けられたことを特徴とする請求項２０に記載のディスクカートリッジ。
【請求項２７】
前記隆起面には、前記シャッタの閉状態で前記ディスクの中央ホール内に位置し、開状態では前記ディスクの内周側の非情報領域を支えるように突出した突起がさらに備わったことを特徴とする請求項２６に記載のディスクカートリッジ。
【請求項２８】
前記シャッタは前記ケースに設けられたそれぞれの回転軸を中心に回動しつつその間に開く間隔を通じて前記開口ホールを開放させる第１及び第２シャッタ部材を含んでなることを特徴とする請求項２０に記載のディスクカートリッジ。
【請求項２９】
前記第１及び第２シャッタ部材には相互上下に重畳される段差面が設けられたことを特徴とする請求項２８に記載のディスクカートリッジ。
【請求項３０】
前記第１及び第２シャッタ部材のうち少なくとも何れか一つの背面には前記開口ホール側に突出した突出片がさらに備わったことを特徴とする請求項２９に記載のディスクカートリッジ。
【請求項３１】
前記ケースには前記回転リングの外周面の一側が露出されるように露出部が形成され、その露出部を通じて露出される前記回転リングの外周面には少なくとも一つのグルーブが形成されたことを特徴とする請求項２０に記載のディスクカートリッジ。
【請求項３２】
前記ケースは、前記開口ホールが形成された下部ケースと、前記開放ホールが形成された上部ケースとを含み、
前記ディスクホルダーには前記下部ケースに形成された軸支持溝と前記上部ケースに設けられた軸カバー部間で回動可能に支持される軸部材が備わったことを特徴とする請求項２０に記載のディスクカートリッジ。
【請求項３３】
前記ディスクホルダーに前記ディスクをクランピングするクランピング部材が設置されたことを特徴とする請求項２０に記載のディスクカートリッジ。
【請求項３４】
前記クランピング部材は、
前記ディスクホルダーの内面に設置されるリング部材と、
前記リング部材のエッジ部にわたって支持されるクランピングホルダーと、
ディスクドライブ内で前記ディスクが載置されるターンテーブルとの磁気的な引力を作用させるために前記クランピングホルダーに設置された磁性体とを含むことを特徴とする請求項３３に記載のディスクカートリッジ。
【請求項３５】
前記ディスクホルダーの中央には、前記ディスクの内周側の非情報領域の直径よりは長くかつ最外郭の直径よりは短径の貫通ホールが形成され、降下時に前記ディスクの上面の円周に沿って密着される領域を有することを特徴とする請求項２０に記載のディスクカートリッジ。
【請求項３６】
前記ディスクホルダーの中央には、前記ディスクの内周側の非情報領域の直径よりは長くかつ最外郭の直径よりは短径の貫通ホールが形成され、降下時に前記ディスクの一側面に沿って密着される領域を有することを特徴とする請求項２０に記載のディスクカートリッジ。
【発明の詳細な説明】
【技術分野】
【０００１】
本発明は情報記録再生媒体であるディスクを収納してホコリや指紋のような汚染源からその記録面を保護するディスクカートリッジに関する。
【背景技術】
【０００２】
一般的に、ディスクカートリッジは情報記録再生媒体であるディスクを収納してディスクドライブに装着されるものであって、図１に示されたように、従来のディスクカートリッジ１００はディスクＤを収納する上下部ケース１０３，１０１と、下部ケース１０１内に回転自在に設置されてディスクドライブのピックアップ（図示せず）がディスクＤにアクセスできるように下部ケース１０１に形成された開口ホール１０２を選択的に開閉するシャッタ１１０と、を備える。１０３ｂはディスクＤ交換及びクランピングのために上部ケース１０３に形成された開放ホールを表し、１０３ａは開放ホール１０３ｂを通じてディスクＤが離脱されないように上部ケース１０３に摺動可能に設置された離脱防止レバーを表す。したがって、ディスクＤを装着する時には離脱防止レバー１０３ａをディスクＤと干渉されないように後進させ、装着が完了した後には離脱防止レバー１０３ａを図のように前進させてその先端部に開放ホール１０３ｂを通じたディスクＤの離脱を防止させる。
【０００３】
このようなディスクＤが装着されたディスクカートリッジ１００をディスクドライブ（図示せず）に進入させれば、図２Ａに示されたように、ディスクドライブに設置されたオープニングレバー１２０がロッキング片１１１ａを先に押してシャッタ１１０の突起１１１ｃと下部ケース１０１の溝１０１ａ間のロッキングを解除させ、次いで、図２Ｂに示されたように、オープニングレバー１２０が干渉片１１１ｂを押して左右回転軸１１０ａを中心に回動させる。シャッタ１１０は、左右回転軸１１０ａにそれぞれ回転自在に設置されて連動鋸歯部１１３に噛み合った第１及び第２シャッタ部１１１，１１２より構成されており、干渉片１１１ｂと一体に連結された第１シャッタ部１１１が時計回り方向に回転すれば、第２シャッタ部１１２は反時計回り方向に回転し、これにより、第１及び第２シャッタ部１１１，１１２間が開きつつ開口ホール１０２が開放される。したがって、以後には開放された開口ホー１０２と開放ホール１０３ｂとを通じてディスクドライブのターンテーブル（図示せず）とクランパー（図示せず）とがそれぞれ進入してディスクＤをクランピングし、ピックアップがディスクＤ記録面にアクセスし、情報の記録及び／または再生作業を行う。そして、第１シャッタ部１１１と下部ケース１０１の底面間にはその第１シャッタ部１１１を図の反時計回り方向、すなわち、開口ホール１０２を閉じる方向に付勢させるトーションスプリング（図示せず）が回転軸１１０ａに設置されており、オープニングレバー１２０によって加えられた力が除去されれば、シャッタ１１０を元来の閉状態に復帰させる。
【０００４】
しかし、このような構成では、上部ケース１０３の開放ホール１０３ｂを通じて流入されたホコリが記録面を汚染させる恐れがある。もちろん、開放ホール１０３ｂ側に向かっているディスクＤの上面は記録面ではないため、直接的にホコリによる汚染は生じないが、ホコリが流入されてシャッタ１１０上に溜まれば、前記のような開閉動作時にシャッタ１１０上のホコリがディスクの記録面に付く。
【０００５】
また、上下部ケース１０３，１０１間にシャッタ１１０を設置し、そのシャッタ１１０上にディスクＤを載せるため、シャッタ１１０の開閉動作時にディスク記録面（図面のディスク下面）とシャッタ１１０間に面接触が発生して、ディスク記録面にスクラッチのような損傷を与える恐れがある。
【０００６】
したがって、ホコリの流入を抑制しつつディスクの記録面を保護できる構造が要求されている。
【発明の開示】
【発明が解決しようとする課題】
【０００７】
本発明は前記の必要性を勘案して創出されたものであって、ケース内へのホコリの流入を抑制でき、シャッタの開閉動作時にもディスク記録面を保護できるように改善されたディスクカートリッジを提供するところにその目的がある。
【課題を解決するための手段】
【０００８】
前記目的を達成するための本発明のディスクカートリッジは、ディスクが収納され、一面には記録及び再生装置が前記ディスクの記録面にアクセスするための開口ホールが形成され、他面には外部に開放された開放ホールが形成されたケースと、前記ケース内に設置されて前記開口ホールを開閉するシャッタと、前記ケースの開放ホール側に昇降可能に設置されたものであって、降下時に前記ディスクの外周部と前記開放ホールの内側面間の間隔を覆うディスクホルダーと、前記ディスクホルダーの降下時に前記開口ホールが密閉されるように前記シャッタを移動させるシャッタ駆動機構とを含むことを特徴とする。
【０００９】
また、本発明の他の特徴によるディスクカートリッジは、ディスクが収納され、一面には記録及び再生装置が前記ディスクの記録面にアクセスするための開口ホールが形成され、他面には外部に開放された開放ホールが形成されたケースと、前記ケースに回転自在に設置され、その上に前記ディスクの外周部が載置される回転リングと、前記開口ホールを開閉するように前記ケース内に設置されたシャッタと、前記ケースの開放ホール側に昇降可能に設置されたものであって、降下時に前記ディスクの外周部と前記開放ホールの内側面間の間隔を覆うディスクホルダーと、前記回転リングを回転させる回転駆動機構とを含むことを特徴とする。
【発明を実施するための最良の形態】
【００１０】
図３及び図４は、本発明の第１実施例によるディスクカートリッジを分離状態と結合状態とを示す図である。
【００１１】
図を参照すれば、ディスクカートリッジは、ディスクＤを収納する上下部２１０，２２０より構成されたケースと、前記ディスクＤの下方で下部ケース２２０に形成された開口ホール２２１を開閉させるシャッタと、上下部ケース２１０，２２０間に昇降可能に設置されたディスクホルダー２５０とを備えている。
【００１２】
上部ケース２１０は、下部ケース２２０の上面に結合され、外部に開放された開放ホール２１１が形成されている。
【００１３】
前記シャッタは、下部ケース２２０に回転自在に設置されてディスクＤの外周部Ｄ３が載置される定着面２３２が備わった円形シャッタ部材２３０と、円形シャッタ部材２３０の切除部２３０ａ内に回動可能に設置された回動シャッタ部材２４０と、より構成される。２４３は、下部ケース２２０に設けられた回動軸２２３に結合されるように回動シャッタ部材２４０に形成された結合孔を表す。この円形シャッタ部材２３０と回動シャッタ部材２４０の動きによって切除部２３０ａを通じて開口ホール２２１が開閉される。その詳細な開閉動作は後述する。
【００１４】
ディスクホルダー２５０は、ディスクカートリッジ２００がディスクドライブ（図示せず）内に進入した状態では上昇し、外部に出ている時には降下し、降下した時に図５Ａのように前記ディスクＤの外周部Ｄ３と円形シャッタ部材２３０のエッジ部２３０ｂとにそれぞれ密着される。これは開放ホール２１１を通じて流入されたホコリが円形シャッタ部材２３０のエッジ部２３０ｂとディスクＤの外周部Ｄ３間の間隔ｇに溜まってディスクＤの記録面を汚染させることを抑制するための一種のカバー機能を行う。言い換えれば、ディスクＤの外周部と開放ホール２１１の内側面間の間隔を通じてホコリが浸透できないように覆う。そして、ディスクホルダー２５０は降下時にディスクＤを円形シャッタ部材２３０の定着面２３２側に押すため、ディスクＤが流動されないように保持する機能も兼ねる。そして、ディスクホルダー２５０は、その中央に前記ディスクＤの内周側の非情報領域Ｄ１の直径よりは長くかつ最外郭の直径よりは短径の貫通ホールが形成されたリング状に構成されている。したがって、ディスクホルダー２５０がディスクＤの上面の円周に沿って密着されれば、前記貫通ホールの内側のディスク上面は開放ホール２１１を通じて露出される。
【００１５】
このようにディスクホルダー２５０を昇降させるための昇降機構及び、開口ホール２１１が開閉されるように円形シャッタ部材２３０と回動シャッタ部材２４０とを移動させるシャッタ駆動機構は、次の通りである。
【００１６】
まず、前記シャッタ駆動機構は、円形シャッタ部材２３０に設けられたギア部２３１と、回動シャッタ部材２４０を円形シャッタ部材２３０の回転に連動して回動させる連動手段と、円形シャッタ部材２３０を選択的にロッキングさせるロッキング手段とを含む。
【００１７】
ギア部２３１は、ディスクカートリッジ２００がディスクドライブに進入する時、そのドライブ内に設置されたオープニングギア３００（図６Ａを参照）と噛み合うように形成されたものであって、オープニングギア３００は固定された状態で、円形シャッタ部材２３０は回転可能な状態であるため、図６Ｂ及び図６Ｃに示されたように、二つの部材が噛み合えば、カートリッジ２００の進入によって円形シャッタ部材２３０が回動する。
【００１８】
前記連動手段は、回動シャッタ部材２４０を時計回り方向と反時計回り方向とにそれぞれ押せるように円形シャッタ部材２３０に設けられた第１及び第２プッシュ部２３７，２３８を含む。したがって、図６Ａのように開口ホール２２１が閉状態で円形シャッタ部材２３０が時計回り方向に回転し始めれば、図６Ｂのように第１プッシュ部２３７が回動シャッタ部材２４０の第１加圧面２４４を押して時計回り方向に回転させ、結局、図６Ｃのように開口ホール２２１が開放される。そして、この状態で円形シャッタ部材２３０が反時計回り方向に回転すれば、図７Ａのように第２プッシュ部２３８が回動シャッタ部材２４０の第２加圧面２４５と接触した後、図７Ｂのように反時計回り方向に押し始めて、最終的に図６Ａに示された開口ホール２２１の閉鎖状態に戻る。
【００１９】
前記ロッキング手段は、下部ケース２２０に回転自在に設置されたロッキングレバー２６０を含む。このロッキングレバー２６０は、図３と図６Ａないし図６Ｄに示されたように、ギア部２３１に結合されるロッキング突起２６１と、ロッキング突起２６１がギア部２３１に結合される方向に回転されるように弾性力を提供する弾性片２６２と、ディスクドライブへの進入時にオープニングギア３００に干渉される干渉突起２６３と、を備える。したがって、外力が加えられていない状態ではロッキング突起２６１が弾性片２６２の弾力によってギア部２３１に止められていて、回動シャッタ部材２４０が回転できない。
【００２０】
しかし、ディスクドライブに進入する時、干渉突起２６３がオープニングギア３００に干渉されれば、図６Ｂのようにロッキングレバー２６０が回転しつつロッキング突起２６１がギア部２３１から抜け出るため、ロッキングが解除されて円形シャッタ部材２３０は回転可能な状態になる。この状態でギア部２３１とオープニングギア３００とが噛み合って円形シャッタ部材２３０が回転する。３０１はギア部２３１と噛み合うオープニングギア３００のギア面を表し、３０２はカートリッジ２００の進入初期に円形シャッタ部材２３０の第１フック溝２３０ｃに挿し込まれてギア部２３１とギア面３０１とが噛み合うまで円形シャッタ部材２３０を若干回転させる第１フック突起を表し、３０３はカートリッジ２００の進入完了時に円形シャッタ部材２３０の第２フック溝２３０ｄに挿し込まれることによって円形シャッタ部材２３０の自由回転を抑制する第２フック突起をそれぞれ表す。ここで、オープニングギア３００のギア面３０１に接触する干渉突起２６３の接触面長Ｌ２は、図６Ｄに示されたように、ギア面３０１のギア分離距離Ｌ１より長く形成されることが望ましい。そうでなければ、ギア面３０１が過ぎる間に干渉突起２６３がギアの歯間の溝中への出入りを反復するため、カートリッジ２００の軟らかい進入にも妨害になり、反復衝突によるノイズも生じるためである。
【００２１】
次いで、前記昇降機構は、図３と図８Ａないし図８Ｄに示すように、ディスクホルダー２５０に突出形成されたリブ２５１と、リブ２５１を押してディスクホルダー２５０を回転させうるように円形シャッタ部材２３０に設けられた第３及び第４プッシュ部２３４，２３５と、ディスクホルダー２５０の回転時にリブ２５１が摺動されかつ昇降されるように下部ケース２２０と上部ケース２１０とにそれぞれ設けられた第１及び第２傾斜面２２２，２１３と、を含む。したがって、図８Ａ及び図８Ｂのように円形シャッタ部材２３０が開口ホール２２１を開ける方向に回転すれば、第３プッシュ部２３４がリブ２５１を第１傾斜面２２２に沿って上昇するように押し、円形シャッタ部材２３０が開口ホール２２１を閉じる方向に回転すれば、図８Ｃ及び図８Ｄのように第４プッシュ部２３５がリブ２５１を第２傾斜面２１３に沿って降下するように押す。ここで、第３プッシュ部２３４は、円形シャッタ部材２３０が回転し始めつつリブ２５１を第１傾斜面２２２に沿って押し上げる１次プッシュ面２３４ａと、リブ２５１を第１傾斜面２２２の上端に設けられたストッパー２２２ａに密着させる２次プッシュ面２３４ｂと、より構成される。したがって、円形シャッタ部材２３０が回転すれば、１次プッシュ面２３４ａが先にリブ２５１を第１傾斜面２２２の上端に押し上げ、次いで、２次プッシュ面２３４ｂがリブ２５１をストッパー２２２ａに密着させて動かないようにロッキングさせる。
【００２２】
一方、上部ケース２１０にはディスクホルダー２５０を開放ホール２１１を通じて挿し込む時、リブ２５１が通過されうるように切除された切除溝２１２が形成されている。そして、ディスクホルダー２５０にはリブ２５１が切除溝２１２を通過した後に回転して第２傾斜面２１３に沿って降下すれば、図８Ｄのように切除溝２１２を塞ぐように位置する補助リブ２５２が設けられている。したがって、ディスクホルダー２５０を開放ホール２１１を通じて挿し込めば、補助リブ２５２が切除溝２１２内に位置してホコリが流入される入口を塞ぎ、例えば、ディスクＤを交換するためにディスクホルダー２５０を抜け出す時には、リブ２５１が切除溝２１２に合うように回した後に抜き出せば良い。
【００２３】
円形シャッタ部材２３０と回動シャッタ部材２４０とが密着される位置には、相互上下に重畳される段差面２３９ａ，２３９ｂ，２３９ｃ，２４４，２４６，２４７が設けられている。このうち、２４４は前述したように第１プッシュ部２３７によって加圧される第１加圧面であると同時に、２３９ａ段差面の下方に入って重畳される段差面の機能を兼ねる。そして、円形シャッタ部材２３０の２３９ｂ段差面の下方には回動シャッタ部材２４０の２４６段差面が入り、２３９ｃ段差面の下方には２４７段差面が入る。このように、色々な位置で二つのシャッタ部材２３０，２４０を重畳させる理由は、開閉動作中に回動シャッタ部材２４０が上方に上げられつつディスクＤの記録面を引っ掻く現象を防止し、もし、ユーザが開口ホール２２１を通じてシャッタを押す場合に変形を抑制するためである。すなわち、開口ホール２２１を閉じつつ円形シャッタ部材２３０と回動シャッタ部材２４０とが密着される時に互いに一つにまとめることによって、外力が加えられても二つのシャッタ部材２３０，２４０が互いに分離されている時よりはシャッタの変形が起こり難くした。また、２３９ｃ段差面の下部には結合溝２３３ａが形成されるように突出片２３３が設けられており、この結合溝２３３ａに２４７段差面が結合突起として挿し込まれている。この突出片２３３は、二つのシャッタ部材２３０，２４９を垂直方向の外力に対して一体に結ぶ機能も提供するが、図９に示されたように、裏面視、開口ホール２２１側に突出しているので、必要に応じてユーザが指を引っ掛けて円形シャッタ部材２３０を回せる取っ手の機能も提供する。したがって、手動でシャッタを開放したい場合には、前述したロッキングレバー２６０の干渉片２６３を押している状態で突出片２３３に指を引っ掛けて回せば良い。
【００２４】
そして、本実施例では、ディスクホルダー２５０にディスクドライブのクランパー（図示せず）が進入できるように開放ホール２１１と連通された第１連通ホール２５３が形成されており、回動シャッタ部材２４０には閉状態で前記ディスクＤの中央ホールと開口ホール２２１とを連通させる第２連通ホール２４１と、第２連通ホール２４１の周囲を取り囲み、前記ディスクＤの内周側の非情報領域Ｄ１と密着する不織布２４２が設けられている。したがって、上下部ケース２１０，２２０に開放ホール２１１と開口ホール２２１とがそれぞれ形成されており、その内部に収納されたディスクＤが外部に露出されているが、ディスクホルダー２５０がディスクＤの外周部Ｄ３側を通じて記録面に浸透しうるホコリの移動通路を塞ぎ、不織布２４２がディスクＤの内周側の非情報領域Ｄ１と回動シャッタ部材２４０間を通じて記録面に浸透しうるホコリの移動通路を塞ぐため、記録面側の情報領域Ｄ２は安全に保護される。もちろん、回動シャッタ部材２４０に連通ホールを作らずに塞いでしまえば、不織布２４２も不要でありうるが、そのような場合、開放ホール２１１を通じて流入されたホコリがディスクＤの中央ホールを通じて流入され、その塞がっている回動シャッタ部材２４０に積まれて回動時に記録面を汚染させる恐れがあるので、ディスクＤの中央ホールに合せて連通ホール２４１を突き抜くことが良い。
【００２５】
しかし、開放ホール２１１が塞がっている場合には、回動シャッタ部材２４０にも連通ホールを作らずに塞ぐことが望ましい。すなわち、本実施例では、ディスクドライブのクランパーが入れるようにディスクホルダー２５０にも孔２５３を形成しているが、図１０に示されたように、孔なしに塞がっているディスクホルダー２５０’を採用する場合には、シャッタ側も塞いでおくことがホコリによる汚染防止に効果的である。その代わりに、この場合にはディスクドライブからクランパーが進入できないので、図のようにクランピング部材２７０がディスクホルダー２５０’の内側面に設置されていなければならない。クランピング部材２７０は、ディスクホルダー２５０’の内側面に設置されるリング部材２７１と、リング部材２７１のエッジ部にわたって支えられるクランピングホルダー２７２と、ディスクドライブ内でターンテーブル（図示せず）に設置された磁石との磁気的な引力を作用させるためにクランピングホルダー２７２に設置された鉄片２７３より構成されうる。
【００２６】
一方、２３６はディスクＤの内周側の非情報領域Ｄ１を支えるように突出した突起を表し、シャッタとディスクＤ記録面との接触をさらに確実に防止する機能を行う。
【００２７】
このようにディスクＤが装着されたディスクカートリッジは、図６Ａに示されたように、円形シャッタ部材２３０と回動シャッタ部材２４０とが開口ホール２２１を塞いでおり、図５Ａに示されたように、ディスクホルダー２５０がディスクＤの外周部Ｄ３と円形シャッタ部材２３０のエッジ部２３０ｂ間の間隔ｇを覆っている状態でディスクドライブに進入する。すなわち、この時にはカートリッジ２００に収納されたディスクＤの記録面側の情報領域Ｄ２にホコリの浸透しうる通路がいずれも塞がっている状態である。このようなディスクカートリッジが進入すれば、図６Ｂに示されたように、ディスクドライブに設置されたオープニングギア３００によってロッキングレバー２６０の干渉突起２６３を押しつつロッキング突起２６１とギア部２３１のロッキングが解除される。次いで、オープニングギア３００の第１フック突起３０２が円形シャッタ部材２３０の第１フック溝２３０ｃにフックされ、この状態でカートリッジ２００がディスクドライブ内に進入し続ければ、オープニングギア３００のギア面３０１と円形シャッタ部材２３０のギア部２３１とが噛み合って、図６Ｃに示されたように、円形シャッタ部材２３０が時計回り方向に回転する。この時、前記ディスクＤはその外周部Ｄ３だけが円形シャッタ部材２３０の載置面２３２に接触しているため、シャッタ開閉動作中に記録面の情報領域Ｄ２が損傷される恐れはほとんどなくなる。
【００２８】
そして、このように円形シャッタ部材２３０の回転によって開口ホール２２１の開放動作とディスクホルダー２５０の上昇動作とが同時になされる。すなわち、円形シャッタ部材２３０が回転しつつ、図６Ｂ及び図６Ｃに示されたように、第１プッシュ部２３７に回動シャッタ部材２４０の第１加圧面２４４を押して同じ方向に回動させて開口ホール２２１を開放させる。また、この過程で図８Ａ及び図８Ｂに示されたように、第３プッシュ部２３４がディスクホルダー２５０のリブ２５１を第１傾斜面２２２の上端に押し上げる。したがって、図５Ｂに示されたように、ディスクホルダー２５０がディスクＤから離隔され、ディスクＤは自由に回転できる状態となる。この状態で開口ホール２２１と第１連通ホール２５３とを通じてディスクドライブのターンテーブル（図示せず）とクランパー（図示せず）とがそれぞれ進入してディスクＤをクランピングし、次いで、ターンテーブルの回転駆動と共にディスクＤに対する記録及び再生作業が進められる。一方、ディスクホルダー２５０がディスクＤから離隔されて上昇する高さは、ディスクＤがターンテーブルに載置されて上がる高さの２倍ほどに設計することが望ましい。すなわち、ディスクＤがクランピングされる時には前記ターンテーブルによってクランパー側に持ち上げられつつ載置面２３２から約１ｍｍほど上昇する。したがって、この時、ディスクＤと干渉させないためにはディスクホルダー２５０の上昇高さをその２倍である２ｍｍほどに設定することが望ましい。
【００２９】
一方、記録及び再生作業が終了すれば、前記ターンテーブルとクランパーとがカートリッジ２００から抜け出つつクランピングが解除される。この状態でディスクカートリッジがディスクドライブから抜け出せば、円形シャッタ部材２３０と回動シャッタ部材２４０とが元来の位置に戻りつつ開口ホール２２１が閉じる。すなわち、図７Ａ及び図７Ｂに示されたように、円形シャッタ部材２３０のギア部２３１が前述した進入時とは反対にオープニングレバー３００のギア面３０１に噛み合いつつ反時計回り方向に回転し、この時、第２プッシュ部２３８で第２加圧面２４５を押して回動シャッタ部材２４０も共に元来の開口ホール２２１の閉位置に回転させる。この時にもディスクＤの外周部Ｄ３だけが載置面２３２に接触した状態で閉動作がなされるため、情報領域Ｄ２は安全に保存される。また、この過程で図８Ｃ及び図８Ｄに示されたように、第４プッシュ部２３５がリブ２５１を押して上部ケース２１０の第２傾斜面２１３に沿って降下する。これにより、結局、図５Ａ及び図６Ａに示されたように、開口ホール２２１はシャッタ２３０，２４０によって塞がり、ディスク外周部Ｄ３と円形シャッタ部材２３０のエッジ部２３０ｂ間の間隔ｇはディスクホルダー２５０によって覆われて記録面側の情報領域Ｄ２がホコリのような異物質から安全に保護される。したがって、このようなディスクカートリッジ２００は、ディスクドライブから抜け出る時、前記のようにホコリが記録面側の情報領域Ｄ２に浸透しうる通路がいずれも塞がっているため、以後保管中にも情報領域Ｄ２の汚染を抑制しうる。
【００３０】
そして、このようにシャッタが閉じた状態では、前記のように円形シャッタ部材２３０と回動シャッタ部材２４０の各段差面２３９ａ，２３９ｂ，２３９ｃ，２４４，２４６，２４７が上下に重畳されているため、開口ホール２２１を通じてケース２１０，２２０の内側にシャッタ２３０，２４０を押しても容易に動かない。したがって、外力によるシャッタ２３０，２４０の変形も防止され、開口ホール２２１の閉状態も堅固に維持できる。
【００３１】
次いで、図１１は、本発明の第２実施例によるディスクカートリッジを示す。本実施例のディスクカートリッジは、ディスクＤを収納するケース４１０，４２０と、ディスクＤの外周部Ｄ３が載置される載置面４３２を有し、ケース４１０，４２０内に回転自在に設置される回転リング４３０と、前記ディスクＤの下方でケース４１０，４２０に形成された開口ホール４２１を開閉させるシャッタ４４０と、ケース４１０，４２０に昇降可能に設置されたディスクホルダー４５０と、を備えている。シャッタ４４０とディスクホルダー４５０とは、回転リング４３０の回転に連動されてそれぞれ開閉及び昇降動作を行う。その詳細な動作については後述する。
【００３２】
前記ケースは、開口ホール４２１が形成された下部ケース４２０と、下部ケース４２０の上面に結合されて外部に開放された開放ホール４１１が形成された上部ケース４１０と、より構成される。
【００３３】
シャッタ４４０は、下部ケース４２０に設けられた回転軸４２３ａ，４２３ｂを中心に回転自在に設置され、その間の間隔を通じて開口ホール４２１を開放する第１及び第２シャッタ部材４４１，４４２より構成される。
【００３４】
ディスクホルダー４５０は、ディスクカートリッジ４００がディスクドライブ（図示せず）内に進入した状態では上昇し、外部に出ている時には降下し、降下した時、図１５Ｂのように前記ディスクＤの外周部Ｄ３と回転リング４３０のエッジ部４３６とにそれぞれ密着される。ディスクホルダー４５０は、開放ホール４１１を通じて流入されたホコリが回転リング４３０のエッジ部４３６とディスクＤの外周部Ｄ３間の間隔ｇに溜まってディスクＤの記録面を汚染させることを抑制するためのカバー機能を行う。言い換えれば、ディスクＤの外周部と開放ホール４１１の内側面間の間隔を通じてホコリが浸透できないように覆うものである。そして、ディスクホルダー４５０は、降下時にディスクＤを回転リング４３０の載置面４３２側に押すため、ディスクＤが遊動されないように固定させる機能も兼ねる。ディスクホルダー４５０は、その中央に前記ディスクＤの内周側の非情報領域Ｄ１の直径よりは長くかつ最外郭の直径よりは短径の貫通ホールが形成されたリング状に構成されている。したがって、ディスクホルダー４５０がディスクＤ上面の円周に沿って密着されれば、前記貫通ホールの内側のディスク上面は開放ホール４１１を通じて露出される。
【００３５】
次いで、回転リング４３０を回転させるための回転駆動機構は、回転リング４３０に設けられたギア部４３１と、回転リング４３０を選択的にロッキングさせるロッキング手段とを含む。ギア部４３１は、ディスクカートリッジ４００がディスクドライブに進入する時、そのドライブ内に設置されたオープニングギア３００（図１２Ａを参照）と噛み合うように形成されたものであって、オープニングギア３００は固定された状態であり、回転リング４３０は回転可能な状態であるため、二つの部材が噛み合えば、カートリッジ４００の進入によって図１２Ｂのように回転リング４３０が回転する。前記ロッキング手段は、下部ケース４２０に回転自在に設置されたロッキングレバー４６０を含む。このロッキングレバー４６０は、図１１と図１２Ａ及び図１２Ｂに示されたように、回転リング４３０に設けられた第２フック溝４３４に結合されるロッキング突起４６１と、ロッキング突起４６１が第２フック溝４３４に結合される方向に回転されるように弾性力を提供する弾性片４６２と、ディスクドライブへの進入時にオープニングギア３００に干渉される干渉突起４６３と、を備える。したがって、外力が加えられていない状態では、ロッキング突起４６１が弾性片４６２の弾力によって第２フック溝４６１に引っ掛けられていて回転リング４３０が回転できない。しかし、ディスクドライブに進入する時、干渉突起４６３がオープニングギア３００に干渉されれば、ロッキングレバー４６０が回転しつつロッキング突起４６１が第２フック溝４６１から抜け出るため、ロッキングが解除されて回転リング４３０の回転可能な状態になる。この状態でギア部４３１とオープニングギア３００とが噛み合って回転リング４３０が回転する。ロッキングレバー３００の３０１がギア部４３１と噛み合うオープニングギア３００のギア面を表し、３０２は、カートリッジ４００の進入初期に回転リング４３０の第１フック溝４３３に挿し込まれてギア部４３１とギア面３０１とが噛み合うまで回転リング４３０を若干回転させる第１フック突起を表し、３０３は、カートリッジ４００の進入完了時に回転リング４３０の第２フック溝４３４に挿し込まれることによって回転リング４３０の自由回転を抑制する第２フック突起を表す。
【００３６】
この回転リング４３０の回転に連動して第１及び第２シャッタ部材４４１，４４２を開閉させるための第１連動機構は、図１１及び図１３に示されたように、第１及び第２シャッタ部材４４１，４４２に形成された連動スロット４４３と、回転リング４３０から突出して連動スロット４４３に摺動可能に挿し込まれる連動突起４３７をと、含む。したがって、図１２Ａのように開口ホール４２１が閉じた状態で回転リング４３０が時計回り方向に回転し始めれば、連動突起４３７が連動スロット４４３の内側壁面を押して回転させ、結局、図１２Ｂのように開口ホール４２１が開放される。そして、この状態で回転リング４３０が反時計回り方向に回転すれば、図１２Ａに示された開口ホール４２１の閉状態に戻る。
【００３７】
次いで、回転リング４３０の回転によってディスクホルダー４５０を昇降させる第２連動機構は、図１１及び図１４に示されたように、ディスクホルダー４５０の外周面に螺旋状に形成された傾斜レール４５４と、回転リング４３０に設けられて傾斜レール４５４に摺動可能に結合される支持部材４３８とを含んで構成される。したがって、回転リング４３０が回転すれば、支持部材４３８のガイド溝４３８ａが傾斜レール４５４に沿ってスライディングし、この時、傾斜レール４５４の螺旋状の軌跡に沿ってディスクホルダー４５０が昇降する。すなわち、図１５Ａのようにディスクホルダー４５０がディスクＤに密着された状態で回転リング４３０が図の反時計回り方向、すなわち、開口ホール４２１を開ける方向に回転すれば、支持部材４３８のガイド溝４３８ａが螺旋状の傾斜レール４５４の最上端から最下端側に移動し、これにより、回転リング４３０に対して相対的に昇降可能に設置されたディスクホルダー４５０が図１６Ａのように傾斜レール４５４の最上端と最下端との高さ差だけ上昇する。一方、回転リング４３０が開口ホール４２１を閉じる図の時計回り方向に回転すれば、支持部材４３８のガイド溝４３８ａが傾斜レール４５４の最下端側から最上端側に移動しつつディスクホルダー４５０を降下させて図１５Ａの状態に戻る。そして、前述したように、図１６Ａのようにディスクホルダー４５０が上昇すれば、図１６Ｂに示されたようにディスクＤを回転可能な状態にし、ディスクホルダー４５０が図１５Ａのように降下すれば、図１５ＢのようにディスクＤの外周部Ｄ３と回転リング４３０のエッジ部４３６とにそれぞれ密着されて隙間ｇを通じたホコリの流入及びディスクＤの流動を防止する。
【００３８】
一方、下部ケース４２０には図１１及び図１４に示されたように、ディスクホルダー４５０の軸部材４５２が昇降可能に挿し込まれる軸支持溝４２３が形成されており、上部ケース４１０にはその軸支持溝４２３上に位置して軸部材４５２の開放ホール４１１を通じた離脱を防止する軸カバー部４１２が形成されている。したがって、軸部材４５２は、軸支持溝４２３と軸カバー部４１２間で回動可能に支持される。もし、ケース４１０，４２０内に収納されたディスクＤを取り出したい時には、図１７のように軸部材４５２を回転軸としてディスクホルダー４５０を開放ホール４１１の外部に垂直に回転させてディスクＤの外周部Ｄ３とディスクホルダー４５０の接触面４５５との干渉を解除した後、ディスクＤを取り出せば良い。もちろん、ディスクホルダー４５０の傾斜レール４５４が支持部材４３８のガイド溝４３８ａに噛み合っていてディスクホルダー４５０を上方に回転させる時に若干支障をきたすが、図１８のように支持部材４３８を弾力的に少しだけ開ければ、ディスクホルダー４５０を持ち上げるのに何らの問題もない。一方、ディスクホルダー４５０の４５３は、ユーザが指で取りやすく複数のグルーブを形成して作ったグリップ部を表す。このグリップ部４５３は、ディスクホルダー４５０の上面表示用としても活用される。
【００３９】
そして、第１及び第２シャッタ部材４４１，４４２が密着される位置には、図１３に示すように、相互上下に重畳される段差面４４１ａ，４４１ｂ，４４２ａ，４４２ｂが設けられている。このように色々な位置で第１及び第２シャッタ部材４４１，４４２を重畳させる理由は、開閉動作中に第１及び第２シャッタ部材４４１，４４２が上方に持ち上げられつつディスクＤの記録面を引っ掻く現象を防止し、もし、ユーザが開口ホール４２１を通じてシャッタ４４０を押す場合に変形を抑制するためである。すなわち、開口ホール４２１を閉じつつ第１及び第２シャッタ部材４２１，４２２が密着される時に互いに一つにまとめることによって、外力が加えられても二つのシャッタ部材４２１，４２２が相互分離されている時よりはシャッタの変形が起こり難くした。また、第２シャッタ部材４２２の下部には突出片４４２ｃが設けられている。この突出片４４２ｃは、裏面視、開口ホール４２１側に突出しており、必要に応じてユーザが指を引っ掛けて第２シャッタ部材４２２を回せる取っ手の機能を提供する。したがって、手動でシャッタを開放したい場合には、前述したロッキングレバー４６０の干渉片４６３を押している状態で突出片４４２ｃに指を引っ掛けて回せば良い。しかし、この場合はシャッタ４４０を直接回して開口ホール４２１を手動で開ける場合であり、回転リング４３０を回して第１連動機構を通じてシャッタ４４０を手動開放することもある。すなわち、回転リング４３０の外周面の一側には図１９のように下部ケース４２０の露出部４２２を通じて外部に露出されるグルーブ４３５が形成されている。したがって、ロッキングレバー４６０の干渉片４６３を押した後、指でグルーブ４３５を押しつつ回転リング４３０を回せば、連動突起４３７及び連動スロット４４３の第１連動機構によってシャッタ４４０が開く。ここで、グルーブ４３５は指が回転リング４３０の外周面で滑ることを抑制する役割を行う。
【００４０】
一方、図２０に示すように、第１及び第２シャッタ部材４４１，４４２のうち第２シャッタ部材４４２がディスクホルダー４５０の下方で露出部４２２を塞いでいる。したがって、第２シャッタ部材４４２の回転軸４２３ｂを下部ケース４２０の中心線Ｘ上に位置させ、他側端部は、露出部４２２の隣接壁面４２２ａに接するように長さと曲率とを設定すれば、開口ホール４２１を閉じた時に露出部４２２を通じてディスクＤの記録面側にホコリが浸透する可能性を下げられる。
【００４１】
図１１を再び参照するに、ディスクホルダー４５０にディスクドライブのクランパー（図示せず）が進入できるように開放ホール４１１と連通された第１連通ホール４５１が形成されており、第１及び第２シャッタ部材４４１，４４２には閉状態で前記ディスクＤの中央ホールＤｃと開口ホール４２１とを連通させる第２連通ホール４４４と、第２連通ホール４４４の周囲を取り囲んで前記ディスクＤの内周側の非情報領域Ｄ１と密着される隆起面４４５とが形成されている。したがって、上下部ケース４１０，４２０に開放ホール４１１と開口ホール４２１とがそれぞれ形成されており、その内部に収納されたディスクＤが外部に露出されているが、ディスクホルダー４５０がディスクＤの外周部Ｄ３側を通じて記録面に浸透しうるホコリの移動通路を塞ぎ、隆起面４４５がディスクＤの内周側の非情報領域Ｄ１と第１及び第２シャッタ部材４４１，４４２間を通じて記録面に浸透しうるホコリの移動通路を塞ぐために、記録面側の情報領域Ｄ２は安全に保護される。
【００４２】
一方、４４６は、ディスクＤの内周側の非情報領域Ｄ１を支えるように隆起面４４５からさらに突出した突起を表す。この突起４４６は、シャッタ４４０が閉じている時には、図１２ＡのようにディスクＤの中央ホールＤｃ内に位置して特別な機能をしないが、シャッタ４４０が開ければ、図１２ＢのようにディスクＤの内周側の非情報領域Ｄ１を支える。これは第１及び第２シャッタ部材４４１，４４２が開く時、隆起面４４５がディスクＤの記録面を引っ掻いて過ぎることを防止するための要素である。
【００４３】
そして、本実施例でも、図２１に示すように開放ホールが塞がっているディスクホルダー４５０’を採用する場合には、シャッタ測も連通ホールを作らずに塞いでおくことがホコリによる汚染防止に効果的である。その代わりに、この場合には前述したようにディスクドライブからクランパーが進入できないので、図のようにクランピング部材４７０がディスクホルダー４５０’の内面に設置されていなければならない。クランピング部材４７０は、ディスクホルダー４５０’の内面に設置されるリング部材４７１と、リング部材４７１のエッジ部にわたって支えられるクランピングホルダー４７２と、ディスクドライブ内でターンテーブル（図示せず）に設置された磁石との磁気的引力を作用させるためにクランピングホルダー４７２に設置された鉄片４７３と、より構成されうる。しかし、これにより、通常的にディスクＤの上面に表示されるプリンティング情報が見られないので、開放ホールを塞ぐ部材を透明材質で作ってディスクＤの上面が見えるようにすることもある。図１１の４８０はライトプロテクターを表す。
【００４４】
このようにディスクＤが装着されたディスクカートリッジは、図１２Ａに示すように、第１及び第２シャッタ部材４４１，４４２が開口ホール４２１を塞いでおり、図１５Ｂに示されたように、ディスクホルダー４５０がディスクＤの外周部Ｄ３と回転リング４３０のエッジ部４３６間の間隔ｇを覆っている状態でディスクドライブに進入する。すなわち、この時にはカートリッジ４００に収納されたディスクＤの記録面側の情報領域Ｄ２にホコリの浸透しうる通路がいずれも塞いでいる状態である。このようなディスクカートリッジが進入すれば、ディスクドライブに設置されたオープニングギア３００によってロッキングレバー４６０の干渉突起４６３が押されつつ回転されてロッキング突起４６１及び第２フック溝４３４のロッキングが解除される。次いで、オープニングギア３００の第１フック突起３０２が回転リング４３０の第１フック溝４３３に引っ掛けられ、この状態でカートリッジ４００がディスクドライブ内に進入し続ければ、オープニングギア３００のギア面３０１と回転リング４３０のギア部４３１とが噛み合って回転リング４３０が図１２Ｂに示された状態に戻る。この時、前記ディスクＤは、その外周部Ｄ３だけが回転リング４３０の載置面４３２に接触しているため、シャッタの開閉動作中に記録面の情報領域Ｄ２が損傷される恐れはほとんどなくなる。
【００４５】
そして、このように回転リング４３０の回転によって前記第１及び第２連動機構によって開口ホール４２１の開放動作とディスクホルダー４５０の上昇動作とが同時になされる。すなわち、回転リング４３０が回転すれば、連動突起４３７が連動スロット４４３の内側壁面を押して第１及び第２シャッタ部材４４１，４４２を互いに開ける方向に回転させる。したがって、第１及び第２シャッタ部材４４１，４４２の開けられた間隔を通じて開口ホール４２１が開放される。また、この過程で、図１６Ａに示されたように、支持部材４３８のガイド溝４３８ａが傾斜レール４５４に沿ってスライディングしつつディスクホルダー４５０を押し上げる。したがって、図１６Ｂに示されたように、ディスクホルダー４５０がディスクＤから離隔され、ディスクＤは自由に回転できる状態になる。この状態で開口ホール４２１と開放ホール４１１とを通じてディスクドライブのターンテーブル（図示せず）とクランパー（図示せず）とがそれぞれ進入してディスクＤをクランピングし、次いで、ターンテーブルの回転駆動と共にディスクＤに対する記録及び再生作業が進められる。一方、ディスクホルダー４５０がディスクＤから離隔されて上昇する高さは、ディスクＤがターンテーブルに載置されて上がる高さの２倍ほどに設計することが望ましい。すなわち、ディスクＤがクランピングされる時には、前記ターンテーブルによってクランパー側に持ち上げられつつ載置面４３２から約１ｍｍほど上昇する。したがって、この時、ディスクＤと干渉させないためには、ディスクホルダー４５０の上昇高さをその２倍である２ｍｍほどに設定することが良い。
【００４６】
一方、記録及び再生作業が終了すれば、前記ターンテーブルとクランパーとがカートリッジ４００から抜け出つつクランピングが解除される。この状態でディスクカートリッジがディスクドライブから抜け出れば、回転リング４３０が元来の位置に戻りつつ開口ホール４２１が閉じる。すなわち、回転リング４３０のギア部４３１が前述した進入時とは反対にオープニングレバー３００のギア面３０１に噛み合いつつ反時計回り方向に回転し、この時、連動突起４３７が連動スロット４４３の内側壁面を進入する時と反対に押して第１及び第２シャッタ部材４４１，４４２を図１２Ａの開口ホール４２１の閉位置に回転させる。この時にもディスクＤの外周部Ｄ３だけが載置面４３２に接触した状態で閉動作がなされるため、情報領域Ｄ２は安全に保存される。また、この過程で支持部材４３８のガイド溝４３８ａが傾斜レール４５４を進入する時と反対方向に沿ってスライディングしつつ図１５Ａ及び図１５Ｂに示されたようにディスクホルダー４５０を降下させる。これにより、開口ホール４２１は、第１及び第２シャッタ部材４４１，４４２によって塞がり、ディスクの外周部Ｄ３と回転リング４３０のエッジ部４３６間の間隔ｇは、ディスクホルダー４５０によって覆われて記録面側の情報領域Ｄ２がホコリのような異物質から安全に保護された初期状態に戻る。したがって、このようなディスクカートリッジ４００は、ディスクドライブから抜け出る時、前記のようにホコリが記録面側の情報領域Ｄ２に浸透しうる通路がいずれも塞がっているため、以後保管中にも情報領域Ｄ２の汚染を抑制しうる。
【００４７】
そして、このようにシャッタが閉じた状態では、前記のように第１及び第２シャッタ部材４４１，４４２の段差面４４１ａ，４４１ｂ，４４２ａ，４４２ｂが上下に重畳されているため、開口ホール４２１を通じてケース４１０，４２０の内側にシャッタ４４０を押しても容易に動かない。したがって、外力によるシャッタ４４０の変形も防止され、かつ開口ホール４２１の閉状態も堅固に保持しうる。
【産業上の利用可能性】
【００４８】
本発明のディスクカートリッジは、次のような効果を有する。
【００４９】
第一に、ディスクの外周部側と内周側の非情報領域側の隙間を通じて情報領域にホコリが浸透しうる通路を何れも塞ぐことによって、情報領域がホコリによって汚染される可能性を減らせる。
【００５０】
第二に、ディスクドライブ内で使われる間にはディスクホルダーが上昇するが、非使用中にはディスクホルダーが降下してディスクに密着されているため、手に取れるカートリッジの全体高さが低くなってユーザにスリム化した感じを与える。
【００５１】
第三に、シャッタ部材の複数個所を上下に重畳させることによって外力によるシャッタの変形を防止し、閉状態を堅固に維持させうる。 
第四に、シャッタがディスクの非情報領域である外周部にのみ接触するように構成されており、開口ホールの開閉のための動作時にもディスク情報領域を安全に保存できる。
【００５２】
第五に、ディスクホルダーだけが上部ケースから分離するかまたは回転させれば、開放ホールを通じてディスクを便利に交換できる。
【図面の簡単な説明】
【００５３】
【図１】従来のディスクカートリッジを示す斜視図である。
【図２Ａ】図１に示されたディスクカートリッジのシャッタ開閉状態を示す平面図である。
【図２Ｂ】図１に示されたディスクカートリッジのシャッタ開閉状態を示す平面図である。
【図３】本発明の第１実施例によるディスクカートリッジの分離斜視図である。
【図４】図３の結合状態を示す図である。
【図５Ａ】図３に示されたディスクカートリッジにおいて、ディスクホルダーの降下及び上昇状態をそれぞれ示す図である。
【図５Ｂ】図３に示されたディスクカートリッジにおいて、ディスクホルダーの降下及び上昇状態をそれぞれ示す図である。
【図６Ａ】図３に示されたディスクカートリッジにおいて、シャッタのロッキング解除及び開口ホールの開放過程を示す図である。
【図６Ｂ】図３に示されたディスクカートリッジにおいて、シャッタのロッキング解除及び開口ホールの開放過程を示す図である。
【図６Ｃ】図３に示されたディスクカートリッジにおいて、シャッタのロッキング解除及び開口ホールの開放過程を示す図である。
【図６Ｄ】図３に示されたディスクカートリッジにおいて、シャッタのロッキング解除及び開口ホールの開放過程を示す図である。
【図７Ａ】図３に示されたディスクカートリッジにおいて、シャッタのロッキング及び開口ホールの密閉過程を示す図である。
【図７Ｂ】図３に示されたディスクカートリッジにおいて、シャッタのロッキング及び開口ホールの密閉過程を示す図である。
【図８Ａ】図３に示されたディスクカートリッジにおいて、ディスクホルダーの上昇過程を示す図である。
【図８Ｂ】図３に示されたディスクカートリッジにおいて、ディスクホルダーの上昇過程を示す図である。
【図８Ｃ】図３に示されたディスクカートリッジにおいて、ディスクホルダーの降下過程を示す図である。
【図８Ｄ】図３に示されたディスクカートリッジにおいて、ディスクホルダーの降下過程を示す図である。
【図９】図３に示されたディスクカートリッジにおいて、円形シャッタ部材の背面を示す図である。
【図１０】図３に示されたディスクホルダーの変形可能な例を示す図である。
【図１１】本発明の第２実施例によるディスクカートリッジの分離斜視図である。
【図１２Ａ】図１１に示されたディスクカートリッジにおいて、シャッタの開閉過程をそれぞれ示す図である。
【図１２Ｂ】図１１に示されたディスクカートリッジにおいて、シャッタの開閉過程をそれぞれ示す図である。
【図１３】図１１に示されたディスクカートリッジにおいて、回転リングとシャッタとの連動機構を示す図である。
【図１４】図１１に示されたディスクカートリッジにおいて、ディスクホルダーの設置構造を示す図である。
【図１５Ａ】図１１に示されたディスクカートリッジにおいて、ディスクホルダーの降下状態を示す図である。
【図１５Ｂ】図１１に示されたディスクカートリッジにおいて、ディスクホルダーの降下状態を示す図である。
【図１６Ａ】図１１に示されたディスクカートリッジにおいて、ディスクホルダーの上昇状態を示す図である。
【図１６Ｂ】図１１に示されたディスクカートリッジにおいて、ディスクホルダーの上昇状態を示す図である。
【図１７】図１１に示されたディスクカートリッジにおいて、ディスクホルダーを開放ホールの外部に回転させた状態を示す図である。
【図１８】図１１に示されたディスクカートリッジにおいて、傾斜レールに結合された支持部材を弾力的に分離させる過程を示す図である。
【図１９】図１１に示されたディスクカートリッジにおいて、ケースの露出部を通じて回転リングのグルーブが露出された状態を示す図である。
【図２０】図１１に示されたディスクカートリッジにおいて、シャッタと露出部との関係を説明するための図である。
【図２１】図１１に示されたディスクホルダーの変形可能な例を示す図である。
【図１】
2005521187.tif 000003
【図２Ａ】
2005521187.tif 000004
【図２Ｂ】
2005521187.tif 000005
【図３】
2005521187.tif 000006
【図４】
2005521187.tif 000007
【図５Ａ】
2005521187.tif 000008
【図５Ｂ】
2005521187.tif 000009
【図６Ａ】
2005521187.tif 000010
【図６Ｂ】
2005521187.tif 000011
【図６Ｃ】
2005521187.tif 000012
【図６Ｄ】
2005521187.tif 000013
【図７Ａ】
2005521187.tif 000014
【図７Ｂ】
2005521187.tif 000015
【図８Ａ】
2005521187.tif 000016
【図８Ｂ】
2005521187.tif 000017
【図８Ｃ】
2005521187.tif 000018
【図８Ｄ】
2005521187.tif 000019
【図９】
2005521187.tif 000020
【図１０】
2005521187.tif 000021
【図１１】
2005521187.tif 000022
【図１２Ａ】
2005521187.tif 000023
【図１２Ｂ】
2005521187.tif 000024
【図１３】
2005521187.tif 000025
【図１４】
2005521187.tif 000026
【図１５Ａ】
2005521187.tif 000027
【図１５Ｂ】
2005521187.tif 000028
【図１６Ａ】
2005521187.tif 000029
【図１６Ｂ】
2005521187.tif 000030
【図１７】
2005521187.tif 000031
【図１８】
2005521187.tif 000032
【図１９】
2005521187.tif 000033
【図２０】
2005521187.tif 000034
【図２１】
2005521187.tif 000035
【国際調査報告】
2005521187.tif 000036
2005521187.tif 000037